(57)【要約】【課題】  ディスク挟持解除動作時における衝突音の発生を防止することが可能なディスクプレーヤを提供する。【解決手段】  本発明に係るディスクプレーヤにおいては、チャッキングプーリ51を保持するアーム部材は、原動スライド部材と該アーム部材の対向面に設けられた第２カム機構によって駆動可能であると共に、該原動スライド部材61の移動に伴って移動する従動スライド部材65と該アーム部材の対向面に設けられた第１カム機構によって駆動可能であり、ディスク挟持動作及びディスク挟持解除動作に伴って、チャッキングプーリ51をターンテーブル91に接近離間させる。ディスク挟持解除動作の過程では、第１カム機構に先行して第２カム機構のカムフォロワーがカム面の傾斜部上を摺動して、チャッキングプーリ51をターンテーブル91から離間させる。【選択図】      図１
2006048838.tif 000002
【特許請求の範囲】
【請求項１】
ディスクを回転駆動するターンテーブル(91)と、ターンテーブル(91)との間にディスクを挟持するチャッキングプーリ(51)を具えたディスクチャック機構と、ディスク排出位置からチャッキングプーリ(51)とターンテーブル(91)の間のディスクチャック位置に亘ってディスクを搬送するディスク搬送機構とを具えたディスクプレーヤにおいて、前記ディスクチャック機構によるディスク挟持動作及びディスク挟持解放動作に伴ってチャッキングプーリ(51)をターンテーブル(91)に対して接近離間する方向に往復移動させるプーリ往復移動機構と、該プーリ往復移動機構を駆動する駆動機構とを具え、該駆動機構は、一方向に沿って往復駆動される原動スライド部材(61)と、該原動スライド部材(61)に対して前記一方向の一定範囲内で相対移動可能に係合する従動スライド部材(65)と、両スライド部材間に張設されたスプリング(70)とを具え、従動スライド部材(65)とプーリ往復移動機構の対向部には、カム面とカムフォロワーからなる第１カム機構が設けられると共に、原動スライド部材(61)とプーリ往復移動機構の対向部には、カム面とカムフォロワーからなる第２カム機構が設けられ、ディスク挟持動作の過程では、第１カム機構のカムフォロワーがカム面の傾斜部上を摺動して、チャッキングプーリ(51)をターンテーブル(91)に接近させ、ディスク挟持解除動作の過程では、第１カム機構に先行して第２カム機構のカムフォロワーがカム面の傾斜部上を摺動して、チャッキングプーリ(51)をターンテーブル(91)から離間させることを特徴とするディスクプレーヤ。
【請求項２】
ディスク挟持動作の過程では、原動スライド部材(61)の一方向の移動に伴って、前記スプリング(70)が伸張されて両スライド部材が互いに最大に相対移動した状態で、従動スライド部材(65)が移動し、ディスク挟持解除動作の過程では、原動スライド部材(61)の逆方向の移動に伴って、前記スプリング(70)が伸張されて両スライド部材が互いに最大に相対移動した状態で、第２カム機構のカムフォロワーがカム面の傾斜部上を摺動した後、第１カム機構のカムフォロワーがカム面の平坦部に乗り上げて、チャッキングプーリ(51)をターンテーブル(91)から離間した位置に保持する請求項１に記載のディスクプレーヤ。
【請求項３】
前記駆動機構は、ディスク搬送機構と共通の動力源を具え、該動力源と原動スライド部材(61)は、互いに連結が可能であると共に連結の切り離しが可能であって、ディスク搬送動作に連動して連結と切り離しを切り換える切換機構が配備され、ディスク搬送動作の過程では、動力源と原動スライド部材(61)の連結が切り離されており、ディスクがディスクチャック位置に到達したときに、動力源と原動スライド部材(61)が互いに連結されて、原動スライド部材(61)の駆動が開始される請求項１又は請求項２に記載のディスクプレーヤ。
【請求項４】
プーリ往復移動機構は、チャッキングプーリ(51)と係合してチャッキングプーリ(51)を往復移動させるアーム部材を具え、第１カム機構のカム面は従動スライド部材(65)に設けられ、第２カム機構のカム面は原動スライド部材(61)に設けられ、第１カム機構のカムフォロワーと第２カム機構のカムフォロワーはプーリ往復移動機構のアーム部材に設けられており、両カム機構のカム面はそれぞれ、原動スライド部材(61)のスライド方向に対して傾斜する傾斜部と該スライド方向と略平行な平坦部とを有し、プーリ往復移動機構は、両カム機構のカムフォロワーをそれぞれのカム面に圧接するための付勢手段を具えている請求項１乃至請求項３の何れかに記載のディスクプレーヤ。
【請求項５】
ディスク挟持解除動作において、アーム部材に設けられている第２カム機構のカムフォロワーが、原動スライド部材(61)に設けられているカム面の傾斜部上を摺動する過程で、従動スライド部材(65)に設けられているカム面の傾斜部は、アーム部材に設けられている第１カム機構のカムフォロワーと非接触の状態を保つ請求項４に記載のディスクプレーヤ。
【請求項６】
原動スライド部材(61)に設けられている第２カム機構のカム面は、従動スライド部材(65)に設けられている第１カム機構のカム面よりも、平坦部のカム曲線が低くなる様に形成されている請求項４又は請求項５に記載のディスクプレーヤ。
【発明の詳細な説明】
【技術分野】
【０００１】
本発明は、ターンテーブルとチャッキングプーリの間にディスクを挟持して該ディスクを回転させ、該ディスクから信号を再生するディスクプレーヤに関するものである。
【背景技術】
【０００２】
従来よりこの様なディスクプレーヤが種々提案されている(例えば特許文献１)。
図１〜図３６は、特許出願人が提案しているディスクプレーヤ(未公開)を表わしている。該ディスクプレーヤにおいては、図１に示す如く、第１アーム部材(53a)及び第２アーム部材(53b)が、ディスク搬送方向に沿ってチャッキングプーリ(51)の両側に配備され、第１アーム部材(53a)は、その基端部がシャーシ(９)の枢軸(101a)(101b)に枢支され、第２アーム部材(53b)は、その基端部がシャーシ(９)の枢軸(102a)(102b)に枢支されて、それぞれ回動可能に配備されている。一方、両アーム部材(53a)(53b)の先端部が互いに接近する方向に伸びて、ディスク搬送方向と直交するチャッキングプーリ(51)の直径線を挟んで両側にてチャッキングプーリ(51)と係合して、チャッキングプーリ(51)を保持している。チャッキングプーリ(51)の下方には、シャーシ(９)の底面に、チャッキングプーリ(51)との間にディスクを挟持するターンテーブル(図示省略)が配備されている。
又、シャーシ(９)の一側面には第１アーム部材(53a)の枢軸(101a)(101b)に隣接して、ディスク挿入口(図示省略)が設けられ、該ディスク挿入口とターンテーブル上方のディスクチャック位置との間に亘ってディスクを搬送するディスク搬送機構(１)は、シャーシ(９)の一側面に配備され、モータ(図示省略)、駆動ベルト(16)、ギア列(17)、及び該ギア列(17)に係脱可能に配備されたディスク搬送ローラ(11)から構成されている。
【０００３】
更に、ディスク挟持動作及び挟持解放動作に連動して前記両アーム部材を回動し、チャッキングプーリ(51)をターンテーブルに対して接近離間させるために、プーリ往復移動機構が配備され、該プーリ往復移動機構は、図１２に示す如く、前記ディスク搬送機構のギア列(17)に係脱するギア部(62)を具えた原動スライド部材(61)と、該原動スライド部材(61)と共に移動する従動スライド部材(65)とを具えている。
【０００４】
従動スライド部材(65)は、前記第１アーム部材(53a)のカムフォロワー(58a)と係合する第１カム部(67a)、前記第２アーム部材(53b)のカムフォロワー(58b)と係合する第２カム部(67b)、及び前記ディスク搬送ローラ(11)の駆動軸と係合して該ディスク搬送ローラ(11)をディスクに対して接近離間させる第３カム部(66)を具え、ガイドピン(68a)(68b)(図１１参照)が、シャーシ(９)の側面に設けたガイド溝(106a)(106b)(図３(ｂ)参照)とそれぞれ係合して、該ガイド溝(106a)(106b)の範囲内でディスク搬送方向に往復移動可能に取り付けられている。更に、従動スライド部材(65)は、引張りバネ(69)によってシャーシ後方に設けたバネ掛け部(104)と連結され、常にシャーシ後方(図１２における右方向)へ付勢されている。
又、原動スライド部材(61)と従動スライド部材(65)は、従動スライド部材(65)の一方のガイドピン(68b)が原動スライド部材(61)の長孔(63)に係合して、該長孔(63)の範囲内で相対移動可能に互いに連結されている。更に、原動スライド部材(61)と従動スライド部材(65)とを連結する連結バネ(70)が配備され、両スライド部材は、該連結バネ(70)によって互いに接近する方向に付勢されている。
【特許文献１】特開平６−１９５８３９号公報  [G11B  17/04]
【発明の開示】
【発明が解決しようとする課題】
【０００５】
図３５(ａ)〜(ｃ)及び図３６(ａ)〜(ｃ)は、一連のディスク挟持解除動作時における前記両アーム部材(53a)(53b)、原動スライド部材(61)及び従動スライド部材(65)の動作を示しており、図３５(ａ)に示す如く、チャッキングプーリ(51)とターンテーブルとの間にディスクを挟持した状態において、原動スライド部材(61)及び従動スライド部材(65)は、従動スライド部材(65)のガイドピン(68a)がシャーシのガイド溝(106a)の内周面左端に当接した状態で停止している。一方、両アーム部材(53a)(53b)は、シャーシの上面に押圧されて水平に保持されており、両アーム部材(53a)(53b)のカムフォロワー(58a)(58b)は、従動スライド部材(65)の第１カム部(67a)及び第２カム部(67b)から離間している。更に、図３２(ａ)に示す如く、両アーム部材(53a)(53b)の先端部はチャッキングプーリ(51)と非接触の状態で静止している。ディスク(93)は、チャッキングプーリ(51)に内蔵された永久磁石(図示省略)の磁気吸引力によって、チャッキングプーリ(51)とターンテーブル(91)との間に挟持されている。
【０００６】
ディスクを排出すべく、エジェクト操作が行われると、原動スライド部材(61)が、前記ディスク搬送機構により駆動されて右方向に移動する。一方、従動スライド部材(65)は、引張りバネ(69)によりシャーシ後方に向けて付勢され、従動スライド部材のガイドピン(68b)と原動スライド部材の長孔(63)の内周面右端との当接状態を保ちながら、原動スライド部材(61)の移動に伴って右方向へ移動して、図３５(ｂ)に示す如く、従動スライド部材の第１カム部(67a)及び第２カム部(67b)が、両アーム部材のカムフォロワー(58a)(58b)と当接する状態へと遷移する。
【０００７】
更に、原動スライド部材(61)が右方向に移動すると、該移動に伴って、従動スライド部材(65)は、第１カム部(67a)及び第２カム部(67b)に沿って両アーム部材を押し上げながら右方向へ移動して、図３５(ｃ)に示す状態に遷移する。この時、図３２(ｂ)に示す如く、一方のアーム部材(53a)の先端部が、チャッキングプーリ(51)の上円板部と当接する。
従動スライド部材(65)が、この状態から更に右方向へ移動するには、第１カム部(67a)及び第２カム部(67b)に沿って両アーム部材を押し上げて、前記チャッキングプーリ(51)とターンテーブル(91)との間の磁気吸引力(ディスク挟持力)を解除する必要がある。
しかしながら、従動スライド部材(65)の右方向への移動は、実質的には引張りバネ(69)の付勢力によって行なわれており、該引張りバネ(69)の付勢力は、前記ディスク挟持力に抗して該従動スライド部材(65)を右方向に移動させるのに必要な力より弱いため、従動スライド部材(65)は図３５(ｃ)の位置で一旦停止する。その後、原動スライド部材(61)のみが前記遊びの範囲内で右方向に移動して、図３６(ａ)に示す如く、従動スライド部材(65)のガイドピン(68b)と原動スライド部材の長孔(63)の内周面左端とが当接する。
【０００８】
この状態で原動スライド部材(61)が右方向に移動すると、従動スライド部材(65)は、従動スライド部材(65)のガイドピン(68b)が原動スライド部材の長孔(63)の内周面左端に押圧されながら原動スライド部材(61)と共に右方向に移動して、第１カム部(67a)及び第２カム部(67b)に沿って両アーム部材を押し上げ、ターンテーブル(91)とチャッキングプーリ(51)との間のディスクの挟持を解除する。
この際、従動スライド部材(65)の移動の妨げとなっていたディスク挟持力が解除されたため、従動スライド部材(65)は、図３６(ｂ)に示す如く、引張りバネ(69)によってシャーシ後方に付勢されて移動し、従動スライド部材(65)のガイドピン(68b)が原動スライド部材の長孔(63)の内周面右端に衝突して、大きな衝突音が発生する。
【０００９】
そこで、本発明の目的は、ディスク挟持解除動作時における原動スライド部材と従動スライド部材の衝突による衝突音の発生を防止することが可能なディスクプレーヤを提供することである。
【課題を解決するための手段】
【００１０】
本発明に係るディスクプレーヤは、ディスクを回転駆動するターンテーブル(91)と、ターンテーブル(91)との間にディスクを挟持するチャッキングプーリ(51)を具えたディスクチャック機構と、ディスク排出位置からチャッキングプーリ(51)とターンテーブル(91)の間のディスクチャック位置に亘ってディスクを搬送するディスク搬送機構とを具え、前記ディスクチャック機構によるディスク挟持動作及びディスク挟持解放動作に伴ってチャッキングプーリ(51)をターンテーブル(91)に対して接近離間する方向に往復移動させるプーリ往復移動機構と、該プーリ往復移動機構を駆動する駆動機構とを具え、該駆動機構は、一方向に沿って往復駆動される原動スライド部材(61)と、該原動スライド部材(61)に対して前記一方向の一定範囲内で相対移動可能に係合する従動スライド部材(65)と、両スライド部材間に張設されたスプリング(70)とを具え、従動スライド部材(65)とプーリ往復移動機構の対向部には、カム面とカムフォロワーからなる第１カム機構が設けられると共に、原動スライド部材(61)とプーリ往復移動機構の対向部には、カム面とカムフォロワーからなる第２カム機構が設けられ、ディスク挟持動作の過程では、第１カム機構のカムフォロワーがカム面の傾斜部上を摺動して、チャッキングプーリ(51)をターンテーブル(91)に接近させ、ディスク挟持解除動作の過程では、第１カム機構に先行して第２カム機構のカムフォロワーがカム面の傾斜部上を摺動して、チャッキングプーリ(51)をターンテーブル(91)から離間させる。
【００１１】
上記本発明のディスクプレーヤによれば、ディスク挟持解除動作の過程で、原動スライド部材(61)の移動に伴って、原動スライド部材(61)とプーリ往復移動機構の対向部に設けた第２カム機構のカムフォロワーがカム面の傾斜部上を摺動して、チャッキングプーリ(51)がターンテーブル(91)から離間する方向に駆動され、ディスクの挟持が解除される。従って、従動スライド部材(65)の移動に際して該ディスク挟持力が負荷となることはなく、従動スライド部材(65)と原動スライド部材(61)は互いに一定の相対位置を保ちながら一体として移動する。従って、従動スライド部材(65)と原動スライド部材(61)が衝突することはなく、よって衝突音が発生することはない。
更に、ディスク挟持動作の過程で、原動スライド部材(61)の移動に伴って、従動スライド部材(65)とプーリ往復移動機構の対向部に設けた第１カム機構のカムフォロワーがカム面の傾斜部上を摺動して、チャッキングプーリ(51)がターンテーブル(91)に接近する方向に駆動されるので、原動スライド部材(61)とプーリ往復移動機構の対向部に設けた第２カム機構が該接近動作を妨げることはない。
【００１２】
具体的構成において、ディスク挟持動作の過程では、原動スライド部材(61)の一方向の移動に伴って、前記スプリング(70)が伸張されて両スライド部材が互いに最大に相対移動した状態で、従動スライド部材(65)が移動し、ディスク挟持解除動作の過程では、原動スライド部材(61)の逆方向の移動に伴って、前記スプリング(70)が伸張されて両スライド部材が互いに最大に相対移動した状態で、第２カム機構のカムフォロワーがカム面の傾斜部上を摺動した後、第１カム機構のカムフォロワーがカム面の平坦部に乗り上げて、チャッキングプーリ(51)をターンテーブル(91)から離間した位置に保持する。
【００１３】
該具体的構成においては、ディスク挟持解除動作の過程、及びディスク解除動作の過程で、原動スライド部材(61)及び従動スライド部材(65)は互いに最大に相対移動した状態を保ちながら一体として移動するので、原動スライド部材(61)と従動スライド部材(65)が衝突することはなく、よって衝突音が発生することはない。
又、ディスク挟持解除動作の過程で、原動スライド部材(61)の移動に伴って、第２カム機構のカムフォロワーがカム面の傾斜部上を摺動した後、第１カム機構のカムフォロワーがカム面の傾斜部上を摺動して、チャッキングプーリ(51)をターンテーブル(91)から離間させ、更に、第１カム機構のカムフォロワーが、カム面の平坦部に乗り上げると、チャッキングプーリ(51)は、ターンテーブル(91)から最も離間したローディング待機位置に保持される。
【００１４】
又、具体的な構成において、前記駆動機構は、ディスク搬送機構と共通の動力源を具え、該動力源と原動スライド部材(61)は、互いに連結が可能であると共に連結の切り離しが可能であって、ディスク搬送動作に連動して連結と切り離しを切り換える切換機構が配備され、ディスク搬送動作の過程では、動力源と原動スライド部材(61)の連結が切り離されており、ディスクがディスクチャック位置に到達したときに、動力源と原動スライド部材(61)が互いに連結されて、原動スライド部材(61)の駆動が開始される。
【００１５】
該具体的構成によれば、前記プーリ往復移動機構を駆動する駆動機構は、ディスク搬送機構と共通の動力源によって駆動されるので、該駆動機構に独立した動力源を設ける必要はない。
更に、ディスク搬送動作の過程において、動力源と原動スライド部材(61)の連結が前記切換機構により切り離されているので、ディスク搬送動作に伴ってチャッキングプーリ(51)がプーリ往復移動機構により移動することはなく、チャッキングプーリ(51)は前記ローディング待機位置に保持される。
ディスクがディスクチャック位置に到達すると、前記切換機構により動力源と原動スライド部材(61)が互いに連結されて、原動スライド部材(61)の駆動が開始され、前記プーリ往復移動機構は、チャッキングプーリ(51)をターンテーブル(91)に接近させる。
【００１６】
更に具体的な構成において、プーリ往復移動機構は、チャッキングプーリ(51)と係合してチャッキングプーリ(51)を往復移動させるアーム部材を具え、第１カム機構のカム面は従動スライド部材(65)に設けられ、第２カム機構のカム面は原動スライド部材(61)に設けられ、第１カム機構のカムフォロワーと第２カム機構のカムフォロワーはプーリ往復移動機構のアーム部材に設けられており、両カム機構のカム面はそれぞれ、原動スライド部材(61)のスライド方向に対して傾斜する傾斜部と該スライド方向と略平行な平坦部とを有し、プーリ往復移動機構は、両カム機構のカムフォロワーをそれぞれのカム面に圧接するための付勢手段を具えている。
【００１７】
該具体的構成によれば、アーム部材に具えられた第１カム機構のカムフォロワーと第２カム機構のカムフォロワーが、従動スライド部材(65)の第１カム機構のカム面及び原動スライド部材(61)の第２カム機構のカム面に前記付勢手段によって圧接されるので、アーム部材は、該従動スライド部材(65)及び原動スライド部材(61)の移動に伴って、両カム面に沿って往復移動して、両カム面のカム曲線に応じてチャッキングプーリ(51)をターンテーブル(91)に対して接近離間させることが出来る。
【００１８】
ディスク挟持解除動作において、具体的には、アーム部材に設けられている第２カム機構のカムフォロワーが、原動スライド部材(61)に設けられているカム面の傾斜部上を摺動する過程で、従動スライド部材(65)に設けられているカム面の傾斜部は、アーム部材に設けられている第１カム機構のカムフォロワーと非接触の状態を保つ。
【００１９】
該具体的構成によれば、アーム部材の第２カム機構のカムフォロワーが、原動スライド部材(61)のカム面の傾斜部上を摺動するとき、従動スライド部材(65)のカム面の傾斜部は、該アーム部材に設けられている第１カム機構のカムフォロワーと非接触状態を保っている。
原動スライド部材(61)の更なる移動により、アーム部材の第２カム機構のカムフォロワーが原動スライド部材(61)のカム面の平坦部に到達すると、アーム部材の第１カム機構のカムフォロワーが従動スライド部材(65)に設けられているカム面の傾斜部に乗り上げて、アーム部材の第２カム機構のカムフォロワーが原動スライド部材(61)のカム面から離間する。
従って、ディスク挟持解除動作の過程で、第１カム機構及び第２カム機構が互いに干渉してアーム部材の移動を妨げることはない。
【００２０】
更に又、具体的な構成において、原動スライド部材(61)に設けられている第２カム機構のカム面は、従動スライド部材(65)に設けられている第１カム機構のカム面よりも、平坦部のカム曲線が低くなる様に形成されている。
【００２１】
該具体的構成によれば、前記アーム部材の第１カム機構のカムフォロワーが、従動スライド部材(65)の第１カム機構のカム曲線の平坦部と当接して、チャッキングプーリ(51)をローディング待機位置に保持したとき、前記アーム部材の第２カム機構のカムフォロワーは、原動スライド部材(61)に設けられている第２カム機構のカム面から離間しているので、ディスクがディスクチャック位置に到達して、前記切換機構が原動スライド部材(61)を動力源と連結する際、原動スライド部材(61)が前記アーム部材と接触することはなく、スムーズに移動及び連結を行なう事が出来る。
【発明の効果】
【００２２】
本発明に係るディスクプレーヤによれば、ディスク挟持解除動作時において原動スライド部材と従動スライド部材が衝突することはないので、衝突音が発生することはない。
【発明を実施するための最良の形態】
【００２３】
以下、本発明の実施形態につき、図面に沿って具体的に説明する。
全体構成
本発明に係るディスクプレーヤは、図１及び図２に示す如く、シャーシ(９)を具え、シャーシ(９)の前面(図１における左方)には、ディスク(図示省略)を挿入するためのディスク挿入口(94)(図２参照)が設けられている。又、シャーシ(９)の底面中央部にはターンテーブル(図示省略)と、該ターンテーブルを回転駆動するスピンドルモータ(図示省略)と、ディスクから信号を読み取るための光学式ピックアップ機構(図示省略)とが配備されている。又、シャーシ(９)上には、ディスク搬送機構(１)、第２ディスクセンタリング機構(２)、ディスク位置決め機構(３)、位置決め部材拘束機構(４)、ディスクチャック機構(５)、プーリ往復移動機構(６)が配備されている。
【００２４】
ディスクチャック機構(５)は、ターンテーブル上方に位置し、チャッキングプーリ(51)を保持するものである。
プーリ往復移動機構(６)は、シャーシ(９)の右側面にディスク搬送方向に沿って往復移動可能に配備されており、プーリ往復移動機構(６)の往復動作に連動して、チャッキングプーリ(51)を昇降させ、下降位置でターンテーブルとの間にディスクを挟持する。
ディスク搬送機構(１)は、ディスク挿入口(94)から前記ターンテーブルとチャッキングプーリ(51)の間のディスクチャック位置とまで伸びるディスク搬送路に沿ってディスクを搬送するものである。
又、挿入されたディスクを前記ディスク搬送路の中心線に向けて移動させるために、前記ローラ支持機構(10)を構成するベースプレート(14)の底面には第１ディスクセンタリング機構(８)が配備されると共に(図４参照)、シャーシ(９)の上面には第２ディスクセンタリング機構(２)が配備されている。
ディスク位置決め機構(３)は、ディスクを前記ディスクチャック位置に位置決めするものであって、チャッキングプーリ(51)の後方位置に配備されている。更にシャーシ(９)上面には、ディスク位置決め機構(３)と係合してディスク位置決め機構(３)を一定位置に拘束する位置決め部材拘束機構(４)が配備されている。
【００２５】
ディスク挿入口(94)からディスクが挿入されると、ディスク搬送ローラ(11)を具えたディスク搬送機構(１)が起動して、ディスクをディスク挿入口(94)から前記ディスクチャック位置まで搬送するローディング動作が行なわれる。
ローディング動作の過程において、ディスクは、第１ディスクセンタリング機構(８)及び第２ディスクセンタリング機構(２)により、前記ディスク搬送路の中心線に向けて搬送され、ディスク位置決め機構(３)によって、前記ディスクチャック位置に位置決めされる。
更にディスク挟持動作が開始されると、プーリ往復移動機構(６)によって、チャッキングプーリ(51)がターンテーブルに接近する方向に移動され、該チャッキングプーリ(51)とターンテーブルとの間にディスクが挟持される。
この状態で前記スピンドルモータの駆動によってディスクが高速回転し、前記光学式ピックアップによって該ディスクから信号が再生される。
【００２６】
その後、ディスク排出指令が与えられると、前記プーリ往復移動機構(６)によって、ターンテーブルとチャッキングプーリ(51)によるディスクの挟持を解除するディスク解除動作が行なわれた後、ディスクを前記ディスクチャック位置からディスク挿入口(94)に向けて排出するアンローディング動作が行なわれる。
【００２７】
ディスク搬送機構(１)
ディスク搬送機構(１)は、シャーシ(９)の右側面に配備されたモータ(15)(図２参照)、駆動ベルト(16)、ギア列(17)、前記ディスク挿入口(94)近傍に配備されたディスク搬送ローラ(11)、シャーシ(９)の底面に取り付けられて該ディスク搬送ローラ(11)をシャーシ(９)に対して接近離間可能に支持するローラ支持機構(10)(図２参照)から構成される。
図１及び図２に示す如く、シャーシ(９)の右側面にはギア列(17)が配備されており、モータ(15)(図２参照)と該ギア列(17)は、駆動ベルト(16)により連結されている。又、シャーシ(９)には、前記ディスク挿入口(94)近傍にディスク搬送ローラ(11)が架設され、ディスク搬送ローラ(11)の右端部には、ギア列(17)と係脱するギア(140)が設けられている。
ディスク搬送ローラ(11)は、図２及び図３３に示す如く、ローラ支持機構(10)に回転可能に支持されている。ローラ支持機構(10)は、シャーシ(９)の底面に取り付けられたベースプレート(14)と、ベースプレート(14)に回転可能に枢支されたローラ支持アーム(13)と、該ベースプレート(14)と該ローラ支持アーム(13)の間に張設されたコイルバネ(18)とから構成される。ディスク搬送ローラ(11)は、ローラ支持アーム(13)の一端部に回転可能に枢支されている。ローラ支持アーム(13)は、前記コイルバネ(18)の付勢力によって、ディスク搬送ローラ(11)をシャーシ(９)の上面に接近させる方向に回転する。
【００２８】
一方、シャーシ(９)の左右両側面には、図３(ｂ)に示す如く、ディスク搬送ローラ(11)の回動軌跡に沿って、ディスク搬送ローラ(11)の駆動軸が貫通する開口部(105)が形成されている。従って、該ローラ支持アーム(13)の回転は、前記ディスク搬送ローラ(11)の駆動軸が該開口部(105)の内周面上端と当接することにより規制される。この状態において、前記ディスク搬送ローラ(11)のギア(140)がギア列(17)に噛合すると共に、シャーシ(９)の上面に下方から圧接される。従って、ディスクは、ディスク搬送ローラ(11)とシャーシ(９)上面との間に挟持され、ディスク搬送ローラ(11)の回転駆動によって、前記ディスク挿入口(94)とディスクチャック位置との間を搬送される。
【００２９】
第１ディスクセンタリング機構(８)
第１ディスクセンタリング機構(８)は、図２、図４及び図５に示す如く、ローラ支持機構(10)のベースプレート(14)底面中央部に突設した枢軸(110)(図２参照)に枢支されたピニオンギア(81)と、該ピニオンギア(81)を挟んで前後から該ピニオンギア(81)と噛合する第１ラックギア(82a)及び第２ラックギア(82b)と、第１ラックギア(82a)と前記ベースプレート(14)側面のバネ掛け部(113)との間に張設されて両ラックギア(82a)(82b)を互いに接近する方向に付勢するコイルバネ(84)とから構成される。
従って、両ラックギア(82a)(82b)は、上述のラックピニオン機構により、互いに逆方向に同期して、左右対称にスライドすることになる。
前記両ラックギア(82a)(82b)は、シャーシ(９)上面に向けて突出するディスク押圧ピン(83a)(83b)と、前記ベースプレート(14)の底面に設けたガイド溝(111)(112)に係合するガイドピン(85a)(85b)とを具えている。両ラックギア(82a)(82b)は、該ガイド溝(111)(112)の範囲内でディスク搬送方向と直交する方向にスライド可能にベースプレート(14)の底面に取り付けられている。
【００３０】
ディスクがディスクプレーヤから排出されている状態において、図１４に示す如く、両ラックギア(82a)(82b)は、ガイドピン(85a)(85b)がガイド溝(111)(112)の内周部端面に当接した状態、即ち互いに最も接近した状態で静止している。
【００３１】
第２ディスクセンタリング機構(２)
第２ディスクセンタリング機構(２)は、図４及び図５に示す如く、ディスク搬送路の中心線を挟んで両側に配備された第１スライド部材(21a)及び第２スライド部材(21b)と、両スライド部材(21a)(21b)を互いに連結するコイルバネ(23)とによって構成される。
両スライド部材(21a)(21b)は、図６に示す如く、ディスク押圧部(22a)(22b)とガイドピン(25a)(25b)とを具え、ディスク押圧部(22a)(22b)は、シャーシ(９)の上面に設けたガイド溝(95a)(95b)(図３(ａ)参照)と係合すると共に、ガイドピン(25a)(25b)は、シャーシ(９)上面に設けたガイド溝(100a)(100b)(図３(ａ)参照)と係合して、該ガイド溝の範囲内でディスク搬送方向と直交する方向にスライド可能にシャーシ(９)の上面に取り付けられている。
【００３２】
ディスクがディスクプレーヤから排出されている状態において、図１４に示す如く、前記両スライド部材(21a)(21b)は、ガイドピン(25a)(25b)が前記ガイド溝(100a)(100b)の内周部端面に当接して、ディスク押圧部(22a)(22b)が互いに最も接近した状態で静止している。
両スライド部材(21a)(21b)は更に、図５に示す如く、アーム当接部(24a)(24b)を具えており、後述の如く前記第１アーム部材(53a)が該アーム当接部(24a)(24b)に当接すると、前記ディスク押圧部(22a)(22b)がディスクから離間する。
【００３３】
ディスク位置決め機構（３）
ディスク位置決め機構(３)は、図５に示す如く、ディスク搬送路の中心線を挟んで両側に配備された第１位置決め部材(31a)及び第２位置決め部材(31b)と、第１位置決め部材(31a)を反時計方向に回転付勢するトーションバネ(33)とから構成される。
【００３４】
第１位置決め部材(31a)は、図７に示す如く、シャーシ(９)上面に突設した枢軸(105)(図３(ａ)参照)に枢支される軸受け部(38a)と、後述する位置決め部材拘束機構(４)と係合する係合溝(37a)(37b)と、シャーシ(９)上面の突片(108)(図３(ａ)参照)と係合する長孔(39a)と、第２位置決め部材(31b)と連結される連結部(35a)と、シャーシ(９)上面のガイド溝(96a)(図３(ａ)参照)を貫通して下方に向けて突出した位置決めピン(32a)とを具え、該ガイド溝(96a)の範囲内で回転可能にシャーシ(９)上面に枢支されている。
【００３５】
第２位置決め部材(31b)は、図８に示す如く、シャーシ(９)の上面に突設した枢軸(106)(図３(ａ)参照)に枢支される軸受け部(38b)と、シャーシ(９)上面の突片(109)(図３(ａ)参照)と係合する長孔(39b)と、他方の位置決め部材(31a)と連結される連結部(35b)と、シャーシ(９)上面のガイド溝(96b)(図３(ａ)参照)を貫通して下方に突出した位置決めピン(32b)とを具え、該ガイド溝(96b)の範囲内で回転可能にシャーシ(９)上面に枢支されている。
第２位置決め部材(32b)は更に、図５に示す如く、上方に向けて突出したアーム部材当接部(34)を具えており、後述の如く、前記第２アーム部材(52b)によって該アーム部材当接部(34)が押圧され、前記両位置決めピン(32a)(32b)はディスクから離間する。
【００３６】
両位置決め部材(31a)(31b)は、前記両連結部(35a)(35b)が互いに係合して連結されており、これによって、互いに逆方向に同期回転して、左右対称に開閉する。
【００３７】
ディスクがディスクプレーヤから排出されている状態において、図１４に示す如く、第１位置決め部材(31a)は、トーションバネ(33)により付勢されて反時計方向に回転し、前記位置決めピン(32a)がシャーシ(９)のガイド溝(96a)の内周部端面と当接して静止している。一方、第２位置決め部材(31b)は、第１位置決め部材(31a)と逆方向に同期回転して、位置決めピン(32b)がシャーシ(９)のガイド溝(96b)の内周面端部と当接して静止している。
前記静止状態において、前記位置決め部材(31a)(31b)の位置決めピン(32a)(32b)は、小径ディスク(93a)がターンテーブル(91)の回転軸上若しくは略回転軸上に到達したときに、該ディスク(93a)の外周縁に当接してディスク(93a)を受け止める第１の位置で静止している。
【００３８】
位置決め部材拘束機構(４)
位置決め部材拘束機構(４)は、前記第１位置決め部材(31a)の係合溝(37a)(37b)と係合して両位置決め部材(31a)(31b)を一定位置に拘束する拘束レバー(41)と、拘束レバー(41)を反時計方向に回転付勢するコイルバネ(42)とから構成される。拘束レバー(41)は、図９に示す如く、シャーシ(９)上面に突設した枢軸(107)(図３(ａ)参照)に枢支される軸受け部(43)と、前記第１位置決め部材(31a)の係合溝(37a)(37b)と係合する位置決め部材係合部(44)と、シャーシ(９)のガイド溝(99)(図３(ａ)参照)を貫通して下方に突出するディスク当接ピン(45)とを具え、該ガイド溝(99)の範囲内で回転可能に、シャーシ(９)上に枢支されている。
【００３９】
ディスクがディスクプレーヤから排出されている状態において、図１４に示す如く、拘束レバー(41)は、コイルバネ(44)により付勢されて反時計方向に回転し、ディスク当接ピン(45)がシャーシ(９)のガイド溝(99)の内周部端面と当接した状態で静止している。この状態において、該拘束レバー(41)の位置決め部材係合部(44)は、第１位置決め部材(31a)の係合溝(37a)の左端面近傍に位置している。ここで、第１位置決め部材(31a)が時計方向に回転すると、第１位置決め部材(31a)の係合溝(37a)の左端面が位置決め部材係合部(44)に当接して、回転が規制させる。従って、該拘束レバー(41)により、両位置決め部材(31a)(31b)を一定範囲内の遊びを持って前記第１の位置に拘束することが出来る。
【００４０】
ディスクチャック機構（５）
ディスクチャック機構(５)は、図１２に示す如く、チャッキングプーリ(51)と、第１アーム部材(53a)と、第２アーム部材(53b)と、ストッパ(52)と、両アーム部材(53a)(53b)をシャーシ(９)上面に向けて付勢するトーションバネ(54a)(54b)(図１参照)とから構成される。
【００４１】
図３４に示す如く、両アーム部材(53a)(53b)は基端部(120a)(120b)と、基端部(120a)(120b)から下方に向けて垂直に折れ曲がった垂直部(121a)(121b)と、該垂直部(121a)(121b)から該基端部(120a)(120b)と水平に伸びる先端部(122a)(122b)とから構成されている。該先端部(122a)(122b)は、チャッキングプーリ(51)の外径より大きい半円状の開口(123a)(123b)を有している。
第１アーム部材(53a)は、基端部(120a)に設けた枢軸(38a)(38a)がシャーシ(９)上面前方の軸受け部(101a)(101b)に枢支されて、シャーシ(９)上に支持されている。一方、第２アーム部材(53a)は、基端部(120b)に設けた軸受け部(38b)(38b)がシャーシ(９)上面後方の枢軸(102a)(102b)に枢支されて、シャーシ(９)上に支持されている。従って、チャッキングプーリ(51)は、ディスク搬送方向と直交するチャッキングプーリ(51)の直径線を挟む両側で両アーム部材(53a)(53b)の先端部(122a)(122b)と係合して、両アーム部材(53a)(53b)により回転可能に保持される。
【００４２】
更に、第１アーム部材(53a)の基端部(120a)には、後述するプーリ往復移動機構(６)のカム部(67a)上を摺動するカムフォロワー(58a)と、前記第２ディスクセンタリング機構(２)のスライド部材(21a)(21b)のアーム当設部(24a)(24b)と当接可能な拘持解放部(55a)(55b)とが配備されている。
一方、第２アーム部材(53b)の基端部(120b)には、後述するプーリ往復移動機構(６)のカム部(67a)上を摺動するカムフォロワー(58b)と、前記ディスク位置決め機構(３)の第２位置決め部材(31b)のアーム当設部(34)と当接可能な拘持解放部(56b)と、該第２位置決め部材(31b)の端部と当接可能に下方に突出した突起部(56a)とが配備されている。
【００４３】
プーリ往復移動機構（６）
プーリ往復移動機構(６)は、図１２に示す如く、前記ディスク搬送機構(１)のギア列(17)に係脱可能な原動スライド部材(61)と、該原動スライド部材(61)と共に移動する従動スライド部材(65)と、該原動スライド部材(61)と従動スライド部材(65)とを連結して、互いに接近する方向へ付勢する連結バネ(70)と、従動スライド部材(65)とシャーシ後方のバネ掛け部(104)の間に張設されて従動スライド部材(65)をシャーシ後方へ付勢する引張りバネ(69)とから構成される。
【００４４】
従動スライド部材(65)は、図１１に示す如く、前記第１アーム部材(53a)のカムフォロワー(58a)と係合する第１カム部(67a)と、前記第２アーム部材(53b)のカムフォロワー(58b)と係合する第２カム部(67b)と、前記ディスク搬送ローラ(11)の駆動軸と係合して該ディスク搬送ローラ(11)をディスクに対して接近離間させる第３カム部(66)とを具え、ガイドピン(68a)(68b)が、シャーシ(９)の右側面に設けたガイド溝(106a)(106b)(図３(b)参照)とそれぞれ係合して、該ガイド溝(106a)(106b)の範囲内でディスク搬送方向に往復移動可能に取り付けられている。
原動スライド部材(61)は、前記従動スライド部材(65)の一方のガイドピン(68b)が原動スライド部材(61)の長孔(63)と係合して、シャーシ右側面を挟んで従動スライド部材(63)に取り付けられている。従って、原動スライド部材(61)及び従動スライド部材(65)は、該長孔(63)の範囲内で互いに相対移動可能な構成となっている。原動スライド部材(61)は更に、前記ディスク搬送機構(１)のギア列(17)に係脱するギア部(62)と、後述する切換機構によって押圧される押圧片(64)とを具えている。該押圧片(64)は、シャーシ(９)の右側面に設けたガイド溝(106b)(図３(b)参照)と係合している。
【００４５】
原動スライド部材(61)をディスク搬送機構(１)のギア列(17)に連結させる切換機構として、図４及び図５に示す切換レバー(75)が配備され、該切換レバー(75)は、図１０に示す如く、前記第２位置決め部材(32b)に設けた枢軸(36)(図８参照)に小孔(78a)が係合して、第２位置決め部材(32b)との間にシャーシ(９)の上面を挟んで下方に取り付けられている。又、上方に突出したガイドピン(79)がシャーシ(９)の上面に設けたガイド溝(98b)と係合して、該ガイド溝(96b)の範囲内で、前記枢軸(36)を中心に回動可能に構成されている。該切換レバー(75)は更に、下方に向けて突出したスライド押圧部(76)とディスク当接部(77)とを具えている。
【００４６】
図１４〜図１７は、小径ディスクのディスクローディング動作における前記第１ディスクセンタリング機構(８)、第２ディスクセンタリング機構(２)及びディスク位置決め機構(３)の一連の動作を示している。
【００４７】
小径ディスク(93a)が、図１４の２点鎖線で示す挿入口中央位置から挿入されると、小径ディスク(93a)の外周縁が両ラックギア(82a)(82b)のディスク押圧ピン(83a)(83b)に当接する。更に、該ディスク押圧ピン(83a)(83b)がディスク外周縁に押圧されて互いに離間する方向にスライドすると、図示しないディスク挿入検知スイッチがオンとなり、前記ディスク搬送機構(１)によってディスク搬送ローラ(11)がディスク引き込み方向に駆動される。ディスク(93a)は、該ディスク搬送ローラ(11)とシャーシ上面(図示省略)との間に挟持され、該ディスク搬送ローラ(11)の回転によって、ディスクプレーヤ本体内に引き込まれる。
ディスク(93a)は、両ラックギア(82a)(82b)のディスク押圧ピン(83a)(83b)により、該ディスク(93a)の外周縁をディスク搬送路の中心線の両側から該中心線に向かって押圧されながら搬送され、該中心線に向かって徐々に移動する。
【００４８】
図１５に示す如く、小径ディスク(93a)が第１ディスクセンタリング機構(８)を通過して、小径ディスクの外周縁が、第２ディスクセンタリング機構(２)の両スライド部材(21a)(21b)のディスク押圧部(22a)(22b)に当接すると、該ディスク押圧部(22a)(22b)は、ディスク外周縁に押圧されて互いに離間する方向にスライドする。このとき、ディスク(93a)は、両スライド部材(21a)(21b)のディスク押圧部(22a)(22b)により、該ディスク(93a)の外周縁をディスク搬送路の中心線の両側から該中心線に向かって押圧されながら搬送され、該中心線に向かって徐々に移動する。
【００４９】
更にディスクが奥方へ搬送されて、図１６に示す如く、ディスク外周縁が切換レバー(75)のディスク当接部(77)に当接すると、該ディスク当接部(77)がディスク(93a)に押圧されて、切換レバー(75)が時計方向に回転する。これによって、切換レバー(75)のスライド押圧部(76)が、原動スライド部材(61)の押圧片(64)に当接して原動スライド部材(61)を押圧し、ディスク搬送機構(１)のギア列(17)に接近する方向(図１６の紙面に沿って上方向)に移動させる。
【００５０】
その後、図１７に示す如く、ディスク(93a)の外周縁が、両位置決め部材(31a)(31b)の位置決めピン(32a)(32b)によって受け止められることにより、小径ディスク(93a)はディスクチャック位置に位置決めされる。
この状態において、小径ディスク(93a)は、ディスク押圧部(22a)(22b)及び位置決めピン(31a)(32b)によってディスク外周縁を拘持されているので、ディスクプレーヤの姿勢に拘わらず、小径ディスク(93a)がディスクチャック位置からずれる虞はない。
又、原動スライド部材(61)は、切換レバー(75)により更にディスク搬送機構(１)のギア列(17)に接近する方向に駆動されて、ギア列(17)と係合し、ディスク挟持動作が開始される。
【００５１】
図２９(ａ)(ｂ)は、原動スライド部材(61)がディスク搬送機構(１)のギア列(17)に係合する際の動作を示している。図２９(ａ)は、原動スライド部材(61)がディスク搬送機構(１)のギア列(17)に向けて移動を開始する前の状態を示しており、この状態において、従動スライド部材(65)は、引張りバネ(69)により付勢されて、シャーシの最後方に後退した位置で静止している。一方、原動スライド部材(61)は、従動スライド部材(65)との間に張設された連結バネ(70)により付勢されて、原動スライド部材(61)の長孔(63)の内周面左端が従動スライド部材(65)のガイドピン(68b)に当接した状態、即ち、従動スライド部材(65)に最も接近した位置で静止している。
原動スライド部材(61)が前記切換レバー(75)によって押圧されると、該原動スライド部材(61)は長孔(63)の範囲ｄ内で前方(図２９における左方)に移動する。そして、原動スライド部材(61)が前方に少し移動することで原動スライド部材(61)のギア部(62)がディスク搬送機構(１)のギア列(17)に噛合する。
【００５２】
小径ディスク(93a)がディスク搬送路の中心線から左右の何れかに偏った挿入位置に挿入された場合においては、図２１に示す如く、第１ディスクセンタリング機構(８)の第１ピニオンギア(31a)に設けたディスク押圧ピン(32a)がディスク(93a)の右外周縁に当接して、ディスク(93a)を左方に押圧しながらディスク搬送路中央に向かって移動する。
更に、第２ディスクセンタリング機構(２)の両スライド部材(21a)(21b)に設けたディスク押圧部(22a)(22b)が、搬送途中の小径ディスク(93a)の外周縁に当接しながら、ディスク外周縁に沿ってディスク搬送方向と直交する方向にスライドして、ディスク搬送路の中心線を挟んで両側からディスク(93a)を該中心線に向けて押圧する。従って、小径ディスク(93a)はディスク搬送動作に伴って徐々に中心線に向けて移動する。
【００５３】
図２２〜図２６は、大径ディスクのディスクローディング動作における前記第１ディスクセンタリング機構(８)、第２ディスクセンタリング機構(２)及びディスク位置決め機構(３)の一連の動作を示している。
小径ディスクの搬送動作と同様に、大径ディスク(93b)は、第１ディスクセンタリング機構(８)及び第２ディスクセンタリング機構(２)により、該ディスク(93b)の外周縁をディスク搬送路の中心線の両側から該中心線に向かって押圧されながら搬送され、該中心線に向かって徐々に移動する。
【００５４】
図２３に示す如く、ディスク(93b)の外周縁が拘束レバー(41)のディスク当接ピン(45)に当接すると、拘束レバー(41)がディスク外周縁により押圧されて時計方向に回転し、図２４に示す如く、拘束レバー(41)の位置決め部材係合部(44)が、第１位置決め部材(31a)の係合溝(37a)から離間する。これによって、両位置決め部材(31a)(31b)は、互いに離間する方向の回動を許容される。更に、ディスク(93b)の外周縁が両位置決め部材(31a)(31b)の位置決めピン(32a)(32b)に当接すると、両位置決め部材(31a)(31b)は、ディスク(93b)の外周縁に押圧されて両位置決めピン(32a)(32b)が互いに離間する方向に回動する。
【００５５】
大径ディスク(93b)がターンテーブル(91)の回転軸上若しくは略回転軸上に到達すると、図２５に示す如く、拘束レバー(41)の位置決め部材係合部(44)が、第１位置決め部材(31a)の係合溝(37b)に係合して、両位置決め部材(31a)(31b)を大径ディスク(93b)の外周縁に当接せしめてディスク(93b)を受け止める第２の位置に拘束する。この結果、大径ディスク(93b)は、両位置決め部材(31a)(31b)の位置決めピン(32a)(32b)に外周縁を受け止められてディスクチャック位置に位置決めされることになる。
更に、小径ディスクのローディング動作と同様に、原動スライド部材(61)が切換レバー(75)に押圧されてギア列(17)に向かって移動し、該ギア列(17)と噛合して、ディスク挟持動作が開始される。
【００５６】
図３０及び図３１は、一連のディスク挟持動作及び挟持解除動作におけるチャッキングプーリ(51)、両アーム部材(53a)(53b)、従動スライド部材(65)及びディスク搬送ローラ(11)の動作を示している。
尚、チャッキングプーリ(51)は、前記両アーム部材(53a)(53b)の先端部に鉛直方向の回転軸回りに回転可能且つ、回転軸方向及び半径方向に一定の遊びを持って保持されている。
図３１(ｄ)及び図３２(ｃ)に示す如く、ローディング待機位置において、チャッキングプーリ(51)は、ディスク侵入方向に仰角を有する向きに傾斜した姿勢で、前記第１アーム部材(53a)及び第２アーム部材の先端部(53b)とストッパー部材(52)の間に上円板部(130)を挟まれて保持されている。
ストッパー部材(52)は、図１３に示す如く、第１アーム部材(53a)側でチャッキングプーリ(51)を受け止める第１規制部(59a)と、第２アーム部材側(53b)でチャッキングプーリ(51)を受け止める第２規制部(59b)とを具え、シャーシ(９)上にチャッキングプーリ(51)と対向して取り付けられている。
図１３(ｃ)に示す如く、ストッパー部材(52)においては、第２規制部(59b)が第１規制部(59a)よりチャッキングプーリ(51)側へ大きく突出しているので、ローディング待機位置におけるチャッキングプーリ(51)の姿勢は、前記傾斜姿勢で安定に且つ確実に保持される。
【００５７】
一方、ディスク搬送ローラ(11)は、ローラ支持アーム(13)により回転可能に支持されている。又、ローラ支持アーム(13)は、ベースプレート(14)により回転可能に支持されており、コイルバネ(18)により、図３０及び図３１において反時計方向に回転付勢され、ディスク搬送ローラ(11)をシャーシ上面に圧接している。
【００５８】
ディスク(93)がディスクチャック位置に位置決めされ、ディスク挟持動作が開始されると、前述の如く、原動スライド部材(61)のギア部(62)がディスク搬送機構(１)のギア列(17)と噛合して、原動スライド部材(61)は、ディスク搬送機構(１)によって前方(図３０及び３１における左方)に向かって駆動される。
原動スライド部材(61)の移動に伴って、従動スライド部材(65)が、図３１(ｄ)(ｃ)(ｂ)(ａ)及び図３０(ｃ)に示す如く前方に向かって移動すると、第１アーム部材(53a)のカムフォロワー(58a)が従動スライド部材(65)の第１カム部(67a)上を摺動し、第２アーム部材(53b)のカムフォロワー(58b)が従動スライド部材(65)の第２カム部(67b)上を摺動して、両アーム部材(53a)(53b)が、チャッキングプーリ(51)をターンテーブル(91)に接近させる方向に移動させる。
【００５９】
更に、ディスク搬送ローラ(11)は、該ローラ(11)の回転軸が従動スライド部材(65)の第３カム部(66)上を摺動し、ローラ支持アーム(13)が、前記コイルバネ(18)の付勢力に抗して時計方向に回動されてディスク(93)から離間する。
この時、ディスク(93)は、前述した第２ディスクセンタリング機構(２)のディスク押圧部(22a)(22b)及びディスク位置決め機構(３)の位置決めピン(31a)(32b)によってディスク外周縁を拘持されているので、ディスク搬送ローラ(11)がディスク(93)から離間しても、ディスク(93)がディスクチャック位置からずれる虞はない。
【００６０】
その後、図３０(ｂ)に示す如く、両アーム部材(53a)(53b)が、シャーシ上面に当接して水平姿勢にて保持されると、チャッキングプーリ(51)は、図３２(ａ)に示す如く、ターンテーブル(91)上に保持され、チャッキングプーリ(51)に内蔵された永久磁石(図示省略)の磁気吸引力によって、ターンテーブル(91)との間にディスク(93)を挟持する。両アーム部材(53a)(53b)の先端部は、鉛直方向における前記遊びの中間位置であって且つチャッキングプーリ(51)と非接触の状態で、シャーシ上面に保持されている。
【００６１】
この状態において、図１８及び図２６に示す如く、前記第２ディスクセンタリング機構(８)のディスク押圧部(22a)(22b)及びディスク位置決め機構(３)の位置決めピン(32a)(32b)がディスクから離間する。
【００６２】
チャッキングプーリ(51)とターンテーブル(91)との間に小径ディスク(93a)が挟持された場合においては、図１９に示す如く、第１アーム部材(53a)の接近動作に伴って、第１アーム部材(53a)の拘持解放部(55a)が、第２ディスクセンタリング機構(２)の両スライド部材(21a)(21b)に設けたアーム当接部(24a)(24b)に当接し、第１アーム部材(53a)の拘持解放部(55a)に押圧されて、両スライド部材(21a)(21b)が互いに離間する方向に距離Ｇ１だけ移動して、ディスク押圧部(22a)(22b)がディスク(93a)の外周縁から離間する。
又、図２０に示す如く、第２アーム部材(53b)の接近動作に伴って、第２アーム部材(53a)の突起部(56a)が、ディスク位置決め機構(３)の第２位置決め部材(31b)の端面に当接し、第２アーム部材(53a)の突起部(56a)に押圧されてディスク(93a)から離間する方向に距離Ｇ２だけ移動すると、両位置決め部材(31a)(31b)が互いに離間する方向に回転して、位置決めピン(32a)(32b)がディスク(93a)の外周縁から離間する。
【００６３】
一方、チャッキングプーリ(51)とターンテーブル(91)との間に大径ディスク(93b)が挟持された場合においては、図２７に示す如く、第１アーム部材(53a)の接近動作に伴って、第１アーム部材(53a)の拘持解放部(55b)が、第２ディスクセンタリング機構(２)の両スライド部材(21a)(21b)に設けたアーム当接部(24a)(24b)に当接し、第１アーム部材(53a)の拘持解放部(55b)に押圧されて、両スライド部材(21a)(21b)が互いに離間する方向に距離Ｇ１だけ移動して、ディスク押圧部(22a)(22b)がディスク(93b)の外周縁から離間する。
又、図２８に示す如く、第２アーム部材(53b)の接近動作に伴って、第２アーム部材(53a)の拘持解放部(56b)が、ディスク位置決め機構(３)の第２位置決め部材(31b)のアーム部材当接部(34)に当接し、第２アーム部材(53a)の拘持解放部(56b)に押圧されて、ディスク(93b)から離間する方向に距離Ｇ３だけ移動すると、両位置決め部材(31a)(31b)が互いに離間する方向に回転して、位置決めピン(32a)(32b)がディスク(93b)の外周縁から離間する。
【００６４】
原動スライド部材(61)の更なる移動に伴って、従動スライド部材(65)が前方に向かって移動すると、図３０(ａ)に示す如く、従動スライド部材(65)の第１カム部(67a)及び第２カム部(67b)は、両アーム部材(53a)(53b)のカムフォロワー(58a)(58b)から離間する。
この状態で、スピンドルモータが駆動して、ディスク(93b)の回転駆動が行なわれる。
【００６５】
その後、停止ボタンが操作され、更にエジェクトボタンが操作されると、ディスク狭持解除動作が開始される。
【００６６】
図３５(ａ)〜(ｃ)及び図３６(ａ)〜(ｃ)は、一連のディスク挟持解除動作時における前記両アーム部材(53a)(53b)、原動スライド部材(61)、及び従動スライド部材(65)の動作を示している。
チャッキングプーリ(51)とターンテーブル(91)との間にディスクを挟持した状態においては、図３５(ａ)に示す如く、従動スライド部材(65)は、ガイドピン(68a)がシャーシ(９)のガイド溝(106a)の前端面に当接して停止している。
【００６７】
ディスク狭持解除動作が開始されると、前記ディスク搬送機構(１)が起動してギア列(17)が時計方向に回転する。これによって、原動スライド部材(61)が後方に移動する。一方、従動スライド部材(65)は、引張りバネ(69)によりシャーシ後方に向けて付勢され、従動スライド部材(65)のガイドピン(68b)と原動スライド部材(61)の長孔(63)の後端面との当接状態を保ちながら、原動スライド部材(61)の移動に伴って後方へ移動して、図３５(ｂ)に示す如く、従動スライド部材の第１カム部(67a)及び第２カム部(67b)が、両アーム部材のカムフォロワー(58a)(58b)と当接する状態へと遷移する。
【００６８】
原動スライド部材(61)が後方に更に移動すると、該移動に伴い、従動スライド部材(65)は、第１カム部(67a)及び第２カム部(67b)のカム曲線に沿って両アーム部材(53a)(53b)を押し上げながら後方へ移動して、図３５(ｃ)に示す状態に遷移する。この時、図３２(ｂ)に示す如く、第１アーム部材(53a)の先端部が、チャッキングプーリ(51)の上円板部と当接する。
従動スライド部材(65)が、この状態から更に後方へ移動するには、第１カム部(67a)及び第２カム部(67b)のカム曲線に沿って両アーム部材を押し上げて、前記チャッキングプーリ(51)とターンテーブル(91)との間の磁気吸引力(ディスク挟持力)を解除する必要がある。
しかしながら、従動スライド部材(65)の後方への移動は、実質的には引張りバネ(69)の付勢力によって行なわれており、該引張りバネ(69)の付勢力は、前記ディスク挟持力に抗して該従動スライド部材(65)を後方に移動させるのに必要な力より弱いため、従動スライド部材(65)は図３２(ｂ)の位置で一旦停止する。その後、原動スライド部材(61)のみが前記遊びの範囲内で右方向に移動して、図３６(ａ)に示す如く、従動スライド部材(65)のガイドピン(68b)と原動スライド部材の長孔(63)の前端面とが当接する。
【００６９】
この状態で原動スライド部材(61)が後方に移動すると、従動スライド部材(65)は、従動スライド部材(65)のガイドピン(68b)が原動スライド部材の長孔(63)の内周面左端に押圧されながら原動スライド部材(61)と共に右方向に移動して、第１カム部(67a)及び第２カム部(67b)に沿って両アーム部材を押し上げ、チャッキングプーリ(51)をターンテーブル(91)から持ち上げる。
このとき、上述の如く第１アーム部材(53a)の先端部が第２アーム部材(53b)の先端部に先行してチャッキングプーリ(51)の一端を持ち上げるので、チャッキングプーリ(51)には他端を支点とした回転トルクが発生し、水平に離間させる場合に比べて小さな力でチャッキングプーリ(51)を離間させることが出来る。
続いて、第２アーム部材(53b)がチャッキングプーリ(51)の他端を持ち上げる際には、第１アーム部材(53a)が既にチャッキングプーリ(51)の一端を持ち上げてターンテーブル(91)から離間させており、これによって前記磁気吸引力は大幅に低下しているので、小さな力でディスクの挟持を解除することが出来る。
【００７０】
この際、従動スライド部材(65)の移動の妨げとなっていたディスク挟持力が解除されたため、従動スライド部材(65)は、図３６(ｂ)に示す如く、引張りバネ(69)によってシャーシ後方に付勢されて移動し、従動スライド部材(65)のガイドピン(68b)が原動スライド部材の長孔(63)の後端面に衝突する。
【００７１】
その後、図３６(ｃ)に示す如く、従動スライド部材(65)のガイドピン(68b)がシャーシのガイド溝(106b)の後端面に当接して停止すると、原動スライド部材(61)は、ギア列(17)から離間する。原動スライド部材(61)は更に連結バネ(70)の付勢力により移動され、原動スライド部材(61)長孔(63)の前端面が、従動スライド部材(65)のガイドピン(68b)と当接して停止する。この時、両アーム部材(53a)(53b)のカムフォロワー(58a)(58b)は、従動スライド部材(65)は第１カム部(67a)及び第２カム部(67b)のカム曲線の頂上に設けた平坦部に当接しており、チャッキングプーリ(51)はターンテーブル(91)から最も離間したローディング待機位置に保持される。
この状態で、ディスク(93)は、ディスク搬送ローラ(11)とシャーシ上面の間に挟持されて、アンローディング動作が開始される。この結果、ディスク搬送機構(１)によりディスク搬送ローラ(11)がディスク排出方向に駆動されて、ディスク(93)がディスク挿入口(94)に向けて搬送される。そして、ディスク(93)がディスク挿入口(94)に到達すると、アンローディング動作が停止する。
【００７２】
上記実施例においては、上述の如くディスク狭持解除動作時に、前記従動スライド部材(65)が原動スライド部材(61)に衝突して、衝突音が発生する。この問題を解決した実施例を図３７〜図３９に示す。
本実施例においては、図３７の如く、原動スライド部材(61)に、第１アーム部材(53a)のカムフォロワー(58a)が摺動する第４カム部(72a)と、第２アーム部材(53b)のカムフォロワー(58b)が摺動する第５カム部(72b)とが新たに設けられている。
第４カム部(72a)のカム形状は、従動スライド部材(65)の第１カム部(67a)の傾斜部のカム形状に相似しており、第４カム部(72a)の頂上部は、第１カム部(67a)の平坦部より低い位置に形成されている。
同様に、第５カム部(72b)のカム形状は、従動スライド部材(65)の第２カム部(67b)の傾斜部のカム形状に相似しており、第５カム部(72b)の頂上部は、第２カム部(67b)の頂上部より低い位置に形成されている。
更に、従動スライド部材(65)のガイドピン(68b)が原動スライド部材(61)の長孔(63)の後端面に当接している状態において、第４カム部(72a)は第１カム部(67a)の後方に位置すると共に、第５カム部(72b)は第１カム部(67b)の後方に位置する。
第１アーム部材(53a)、第２アーム部材(53b)及び従動スライド部材(65)は、前述した構成と同等であるので説明は省略する。
【００７３】
図３８(ａ)〜(ｃ)及び図３９(ａ)〜(ｃ)は、本実施例における一連のディスク挟持解除動作時における前記両アーム部材(53a)(53b)、原動スライド部材(61)、及び従動スライド部材(65)の動作を示している。図３８(ａ)に示す如く、チャッキングプーリ(51)とターンテーブルとの間にディスクを挟持した状態において、原動スライド部材(61)及び従動スライド部材(65)は、従動スライド部材(65)のガイドピン(68a)がシャーシのガイド溝(106a)の前端面に当接した状態で停止している。この状態において、原動スライド部材(61)の両カム部(72a)(72b)は、従動スライド部材(65)の両カム部(67a)(67b)の後方近傍に位置している。
【００７４】
ディスク狭持解除動作が開始されると、前記ディスク搬送機構(１)が起動してギア列(17)を回転駆動する。これによって、原動スライド部材(61)が後方に移動して、図３８(ｂ)に示す如く、原動スライド部材の第４カム部(67a)及び第５カム部(67b)が、両アーム部材(53a)(53b)のカムフォロワー(58a)(58b)と当接する。更に、図３８(ｃ)に示す如く、原動スライド部材(61)が、第４カム部(72a)及び第５カム部(67b)に沿って両アーム部材(53a)(53b)を押し上げながら後方へ移動する。その後、図３９(ａ)に示す如く、両アーム部材(53a)(53b)のカムフォロワー(58a)(58b)が、原動スライド部材(61)の第４カム部(72a)及び第５カム部(72b)上を摺動して、両カム部(72a)(72b)の頂上部に到達する。原動スライド部材(61)が、図３８(ｂ)、図３８(ｃ)、図３９(ａ)と移動する過程において、チャッキングプーリ(51)がターンテーブル(91)から引き離され、ディスクの狭持が解除される。
【００７５】
一方、従動スライド部材(65)は、引張りバネ(69)によりシャーシ後方に向けて付勢され、従動スライド部材(65)のガイドピン(68b)と原動スライド部材の長孔(63)の後端面との当接状態を保ちながら、原動スライド部材(61)の移動に伴って後方へ移動する。
従って、ディスク狭持解除動作の前後で、原動スライド部材(61)と従動スライド部材(65)の相対位置は一定に維持され、両スライド部材(61)(65)が衝突することはない。
図３９(ａ)の状態において、両アーム部材(53a)(53b)のカムフォロワー(58a)(58b)は、原動スライド部材(61)の両カム部(72a)(72b)から、追随して移動する従動スライド部材(65)の両カム部(67a)(67b)に受け渡される。
【００７６】
その後、図３９(ｂ)(ｃ)に示す如く、両アーム部材(53a)(53b)のカムフォロワー(58a)(58b)は、従動スライド部材(65)の両カム部(67a)(67b)上を摺動する。
図３９(ｃ)に示す如く、従動スライド部材(65)のガイドピン(68b)がシャーシのガイド溝(106b)の後端面に当接して停止すると、原動スライド部材(61)は、ギア列(17)から離間する。原動スライド部材(61)は更に連結バネ(70)の付勢力により駆動され、原動スライド部材(61)の長孔(63)の前端面が、従動スライド部材(65)のガイドピン(68b)と当接して停止する。この時、両アーム部材(53a)(53b)のカムフォロワー(58a)(58b)は、従動スライド部材(65)は第１カム部(67a)及び第２カム部(67b)のカム曲線の頂上に設けた平坦部に当接しており、チャッキングプーリ(51)はターンテーブル(91)から最も離間したローディング待機位置に保持される。
この状態で、ディスク(93)は、ディスク搬送ローラ(11)とシャーシ上面の間に挟持されて、アンローディング動作が開始される。この結果、ディスク搬送機構(１)によりディスク搬送ローラ(11)がディスク排出方向に駆動されて、ディスク(93)がディスク挿入口(94)に向けて搬送される。そして、ディスク(93)がディスク挿入口(94)に到達すると、アンローディング動作が停止する。
【００７７】
上記本発明のディスクプレーヤの２つの実施例によれば、ディスク(93)が、ディスク搬送路中央からずれて挿入された場合においても、ディスク(93)は、第１ディスクセンタリング機構(８)及び第２ディスクセンタリング機構(２)によりディスク搬送路の中心線に向けて移動され、ディスク位置決め機構(３)により、ディスクの外径に応じてディスクの外周縁と当接可能な位置で受け止められるので、ディスクをディスクチャック位置に確実に位置決めすることが出来る。又、ディスク(93)は、ディスクチャック位置において第２ディスクセンタリング機構(２)及びディスク位置決め機構(３)によりディスク(93)の外周縁を拘持されているので、横置き又は縦置きの設置姿勢に拘わらず、ディスク搬送ローラ(11)をディスク(93)から離間させることが出来、ディスク面に傷を付ける虞はない。
【００７８】
更に、チャッキングプーリ(51)は、第１アーム部材(53a)及び第２アーム部材(53b)によって保持されているので、一本のアーム部材で保持する場合に比べ、チャッキングプーリ(51)を安定した姿勢で保持することが出来る。又、両アーム部材(53a)(53b)の駆動タイミング及び揺動角度は、従動スライド部材(65)に設けた第１カム部(67a)及び第２カム部(67a)のカム曲線によりそれぞれ独立に制御することが出来るので、ディスクの侵入方向に対するチャッキングプーリ(51)の姿勢を任意に設定することが可能である。更に、ローディング待機位置において、チャッキングプーリ(51)は、前記両アーム部材(53a)(53b)により、ストッパー部材(52)に圧接されているので、チャッキングプーリを傾斜姿勢にて安定に且つ確実に保持することが出来、これによって、ディスクとの接触を回避することが出来る。
又、第２の実施例においては、原動スライド部材(61)の前記両アーム部材(53a)(53b)との対向部にカム部(72a)(72b)を設け、従動スライド部材(65)のカム部(67a)(67b)に先行して、原動スライド部材(61)のカム部(72a)(72b)を、両アーム部材(53a)(53b)のカムフォロワー(58a)(58b)が摺動するように構成したので、原動スライド部材(61)と従動スライド部材(65)は互いの相対位置を維持しながら移動する。従って、両スライド部材(61)(65)が相対移動して衝突することはなく、これによって衝突音の発生が防止される。
【００７９】
尚、本発明の各部構成は上記の実施形態に限らず、特許請求の範囲に記載の技術的範囲内で種々の変形が可能である。例えば、第１ディスクセンタリング機構(８)及び第２ディスクセンタリング機構(２)の何れか一方を省略して、単一のディスクセンタリング機構によって、ディスクをディスク搬送路中心に向けて移動させる構成を採用することも可能である。
又、チャッキングプーリ(51)を水平姿勢のままターンテーブル(91)に接近離間させる構成を採用することも可能である。
【図面の簡単な説明】
【００８０】
【図１】本発明に係るディスクプレーヤの斜視図である。
【図２】該ディスクプレーヤを裏面から見た斜視図である。
【図３】該ディスクプレーヤを構成するシャーシの平面図(ａ)及び側面図(ｂ)である。
【図４】該ディスクプレーヤを裏面から見た要部斜視図である。
【図５】該ディスクプレーヤにおける第１、第２ディスクセンタリング機構、ディスク位置決め機構及びプーリ往復機構を示す斜視図である。
【図６】第２ディスクセンタリング機構を構成する第１スライド部材及び第２スライド部材の斜視図である。
【図７】ディスク位置決め機構を構成する第１位置決め部材の斜視図である。
【図８】ディスク位置決め機構を構成する第２位置決め部材の斜視図である。
【図９】位置決め部材拘束機構を構成する拘束レバーの斜視図である。
【図１０】該ディスクプレーヤにおける切換機構の切換レバーの斜視図である。
【図１１】プーリ往復移動機構を構成する原動スライド部材及び従動スライド部材の斜視図である。
【図１２】プーリ往復移動機構の要部を示す斜視図である。
【図１３】ストッパー部材の斜視図(ａ)、平面図(ｂ)及び側面図(ｃ)である。
【図１４】小径ディスクのローディング動作の第１段階を表わす平面図である。
【図１５】小径ディスクのローディング動作の第２段階を表わす平面図である。
【図１６】小径ディスクのローディング動作の第３段階を表わす平面図である。
【図１７】小径ディスクのローディング動作の第４段階を表わす平面図である。
【図１８】小径ディスクのディスク挟持動作を表わす平面図である。
【図１９】図１８のＡ−Ａ断面において小径ディスクのディスク挟持動作を拡大して表わす図である。
【図２０】図１８のＢ−Ｂ断面において小径ディスクのディスク挟持動作を拡大して表わす図である。
【図２１】ディスク搬送路中央からずれて挿入された小径ディスクのローディング動作を表わす平面図である。
【図２２】大径ディスクのローディング動作の第１段階を表わす平面図である。
【図２３】大径ディスクのローディング動作の第２段階を表わす平面図である。
【図２４】大径ディスクのローディング動作の第３段階を表わす平面図である。
【図２５】大径ディスクのローディング動作の第４段階を表わす平面図である。
【図２６】大径ディスクのディスク挟持動作を表わす平面図である。
【図２７】図２６のＡ−Ａ断面において大径ディスクのディスク挟持動作を拡大して表わす図である。
【図２８】図２６のＢ−Ｂ断面において大径ディスクのディスク挟持動作を拡大して表わす図である。
【図２９】切換機構の動作による原動スライド部材及び受動スライド部材の相対移動の様子を表わす一連の側面図である。
【図３０】ディスク挟持解除動作の前半工程における第１、第２アーム部材、チャッキングプーリ及び従動スライド部材の動作を表わす一連の一部破断側面図である。
【図３１】ディスク挟持解除動作の後半工程における第１、第２アーム部材、チャッキングプーリ及び従動スライド部材の動作を表わす一連の一部破断側面図である。
【図３２】図３０及び図３１に示すディスク挟持動作及びディスク挟持解除動作の要部を拡大して表わす一部破断側面図である。
【図３３】ローラ支持機構の斜視図である。
【図３４】第１アーム部材及び第２アーム部材の斜視図である。
【図３５】ディスク挟持解除動作の前半工程における第１、第２アーム部材、原動スライド部材及び従動スライド部材の動作を表わす一連の一部破断側面図である。
【図３６】ディスク挟持解除動作の後半工程における第１、第２アーム部材、原動スライド部材及び従動スライド部材の動作を表わす一連の一部破断側面図である。
【図３７】改良したプーリ往復移動機構を構成する原動スライド部材及び従動スライド部材の斜視図である。
【図３８】ディスク挟持解除動作の前半工程における第１、第２アーム部材、従動スライド部材、及び改良した原動スライド部材の動作を表わす一連の一部破断側面図である。
【図３９】ディスク挟持解除動作の後半工程における第１、第２アーム部材、従動スライド部材、及び改良した原動スライド部材の動作を表わす一連の一部破断側面図である。
【符号の説明】
【００８１】
(11)  ディスク搬送ローラ
(21a)  第１スライド部材
(21b)  第２スライド部材
(31a)  第１位置決め部材
(31b)  第２位置決め部材
(41)  拘束レバー
(51)  チャッキングプーリ
(52)  ストッパー部材
(53a)  第１アーム部材
(53b)  第２アーム部材
(61)  原動スライド部材
(65)  従動スライド部材
(75)  切換レバー
(81)  ピニオンギア
(82a)  第1ラックギア
(82b)  第２ラックギア
(９)  シャーシ
(91)  ターンテーブル
(92)  モータ
(93)  ディスク
(93a)  小径ディスク
(93b)  大径ディスク
(94)  ディスク挿入口
【図１】
2006048838.tif 000003
【図２】
2006048838.tif 000004
【図３】
2006048838.tif 000005
【図４】
2006048838.tif 000006
【図５】
2006048838.tif 000007
【図６】
2006048838.tif 000008
【図７】
2006048838.tif 000009
【図８】
2006048838.tif 000010
【図９】
2006048838.tif 000011
【図１０】
2006048838.tif 000012
【図１１】
2006048838.tif 000013
【図１２】
2006048838.tif 000014
【図１３】
2006048838.tif 000015
【図１４】
2006048838.tif 000016
【図１５】
2006048838.tif 000017
【図１６】
2006048838.tif 000018
【図１７】
2006048838.tif 000019
【図１８】
2006048838.tif 000020
【図１９】
2006048838.tif 000021
【図２０】
2006048838.tif 000022
【図２１】
2006048838.tif 000023
【図２２】
2006048838.tif 000024
【図２３】
2006048838.tif 000025
【図２４】
2006048838.tif 000026
【図２５】
2006048838.tif 000027
【図２６】
2006048838.tif 000028
【図２７】
2006048838.tif 000029
【図２８】
2006048838.tif 000030
【図２９】
2006048838.tif 000031
【図３０】
2006048838.tif 000032
【図３１】
2006048838.tif 000033
【図３２】
2006048838.tif 000034
【図３３】
2006048838.tif 000035
【図３４】
2006048838.tif 000036
【図３５】
2006048838.tif 000037
【図３６】
2006048838.tif 000038
【図３７】
2006048838.tif 000039
【図３８】
2006048838.tif 000040
【図３９】
2006048838.tif 000041